(57)【要約】
【課題】卓上で使用できるアイスクリーム製造器として、一般家庭又は個人で使用するのに便利な簡易型アイスクリーム製造器を提供する。
【解決手段】回転筒１００を台座１の回転軸カバー２、軸座３へ組合せ、回転筒は外筒１０、内筒１６、断熱層１８、筒蓋１２により構成され、内筒の内壁面へかきまぜリブ１７を設け、外筒の片端へ連動軸１１を設け、蓋の片端へ軸受１４を具有する支柱軸１４を設け、また内筒内に砕いた氷を入れ、砕いた氷の中へ金属性転がり筒２０を設け、該金属性転がり筒の内へアイスクリームとなる液体（例えば果汁）をいれ、回転筒を回転させると、金属性転がり筒は不規則に転がり、回転し、砕いた氷の溶解熱によりる冷却効果により、金属性転がり筒内の液体は急速にアイスクリームとなり、簡易に使用できるアイスクリームを製造できる効果を達成する。
【選択図】図２
0003100974.tif 000002
【実用新案登録請求の範囲】
【請求項１】
モータ回転機構を備えた台座の一端側からモータの回転軸の先端に設けた回転軸カバーを突出して設け、台座の他端には軸座を設け、台座に設けたこれら回転軸カバーと軸座間へ回転筒を組合せ、回転筒の中へ金属性転がり筒を設け、
これらにおいて、
該回転筒は、外筒、内筒、断熱層、筒蓋により構成し、
該断熱層は外筒、内筒間に固定して結合されており、
該外筒の片端の中心へ設ける連動軸を台座の回転軸カバーへ挿着し、
該筒蓋の片側へ設けるフックと外筒に設ける蓋とめ具を掛合して内筒を密封し、該筒蓋の外端の中心に設ける軸受を具有する支柱軸を台座の軸座へ架けて、回転筒は水平に回転するようにし、
該内筒の内壁面に複数の突出する棒状のかきまぜリブを設けると共に、該内筒内に砕いた氷を充填し、砕いた氷の中へ金属性転がり筒を入れるようにし、
該金属製転がり筒は、熱伝導性の金属からなり、その筒口へ伸縮性のプラスチック素材の蓋を設け、また筒内へアイスクリームとなる液体を入れるようにし、
以上の構成により、回転筒を台座へ組合せ、回転筒へ砕いた氷、金属性転がり筒を入れ、且つ回転筒の回転及びその内筒に設けたかきまぜリブの作用により、金属製転がり筒は転がり、回転し、急速に金属性転がり筒内の液体を泥状のアイスクリームとなるようにしたことを特徴とする簡易型アイスクリーム製造器の筒構造。
【請求項２】
前記回転筒の内筒の内壁へ複数の突起粒を配列して設けることを特徴とする請求項１記載の簡易型アイスクリーム製造器の筒構造。
【請求項３】
前記回転筒は円形の回転筒、多角形の回転筒であることを特徴とする請求項１記載の簡易型アイスクリーム製造器の筒構造。
【請求項４】
前記回転筒の底部外側へ連動孔を設け、台座に外側へ貫通して突出する連動軸を設け、該連動孔へ連動軸の片端を挿着し、該連動軸のもう一つの外側突出する片端へハンドルを嵌合し、手動回転する回転筒としてなることを特徴とする請求項１記載の簡易型アイスクリーム製造器の筒構造。
【考案の詳細な説明】
【技術分野】
【０００１】
本考案は、卓上で使用することが出来る簡易型アイスクリーム製造器の筒構造に係るものである。主な技術目的は、
その１．台座へ回転筒を設け、筒内へ金属性転がり筒を設け、金属性転がり筒の中へ液体（例えば果汁）を入れ、且つ回転筒内の壁と金属性転がり筒の間へ砕いた氷を充填し、回転筒の回転により、金属性転がり筒は不規則に回転して転がり、即ち金属性転がり筒内の液体は急速にアイスクリーム状態を呈し、使用便利な効果を達成する。
その２．該回転筒は外筒、内筒、断熱層、蓋により構成し、組合せて台座へかけ、砕いた氷を入れやすく、金属性転がり筒を入れやすい効果を達成する。
その３．該回転筒の内筒の内壁面へ複数の突出したかきまぜリブを設け、回転すると砕いた氷、金属性転がり筒をかき回し、金属性転がり筒は不規則な回転、転がる作用となり、即ち効果的に液体がアイスクリームとなる。
【背景技術】
【０００２】
公知のアイスクリーム製造器の技術構造は、
１．  台座に製造筒を設け、更に製造筒へ回転する撹拌桿を設け、また冷媒を設け、    製造筒は筒内の液体の温度を下げ冷やしていき、更に撹拌桿は凝結を防止し、泥    状のアイスクリームとなるものである。
【特許文献１】特開２００１−１７０９０
【考案の開示】
【考案が解決しようとする課題】
【０００３】
しかしながら、上述の公知構造は下記の欠点を有す。
１．アイスクリーム製造器の必要とする体積は大きく、価格も高く、一般の家庭用、    個人用には向かない。
２．製造器は温度を下げる冷媒、圧縮機を必要とし、且つアイスクリームの製造に長    時間を必要とする。
３．一度に大量のアイスクリームを製造するため、一般家庭、個人用には多すぎる量    である。
そこで、手軽に家庭でアイスクリームを製造することができる構造を提供することを課題とするものである。
【課題を解決するための手段】
【０００４】
上記課題を解決するため、本考案は、図１、２、３、４に示すように、モータ回転を具有する台座１に係り、モータの回転軸の先端へ台座の片端に突出する回転軸カバー２を設け、台座１のもう一つの片端へ軸座３を設け、台座１の回転軸カバー２と軸座３間へ回転筒１００を組合せ、回転筒の中へ金属性転がり筒２０を設けるものである。
該回転筒１００は外筒１０、内筒１６、断熱層１８、筒蓋１２により構成し、
該断熱層１８は、外筒１０、内筒１６間へ固着して一体となり、
該外筒１０は、その片端中心へ台座１の回転軸カバー２へ挿着する連動軸１１を設け、外筒１０のもう一方の端部には筒蓋１２に設けるフック１２０と掛合する蓋とめ具１５を設けて、筒蓋１２の他端で枢着された該筒蓋１２を密閉する効果を具有し、筒蓋１２の外側中心に設ける支柱軸１３は軸受１４を具有し、支柱軸１３、軸受１４を台座１の軸座３へかけ、回転筒１００は平衡回転し、
該内筒１６の内壁面に数本の突出するかきまぜリブ１７を設け、内筒内へ砕いた氷４を充填し、その中へ金属性転がり筒２０をいれ、
該金属性転がり筒２０は、熱伝導性の良い金属で生成され、その筒口へ伸縮性のプラスチック素材の蓋２１を設け、また筒内へアイスクリームとなる液体５を入れるものである。
【考案の効果】
【０００５】
卓上で使用できるアイスクリーム製造器に係り、一般家庭又は個人で使用するのに便利で、容易にアイスクリームを製造できるものである。
【実施例１】
【０００６】
回転筒１００を台座１へ組合せ、更に砕いた氷４を回転筒１００の内筒１６へ充填し、及び金属性転がり筒２０の中へ液体５（例えば果汁）を入れ密封したものを砕いた氷４の中へおき、筒蓋１２を閉めて、外筒１０の連動軸１１は台座のモータ回転軸に設ける回転軸カバー２へ挿着し、（注：該モータの回転構造は本案の出願する範囲ではない）、及び筒蓋１２に設ける軸受１４を具有する支柱軸１３を台座の軸座３へかけ、台座のモータのスイッチを入れると、回転筒１００は連動して回転し、回転筒１００の内筒１６内壁の突出するかきまぜリブ１７によって図３、４に示すように、かきまぜリブ１７は砕いた氷４を押したり、ひっくり返したりして金属性転がり筒２０を作動（変位）、回転（自転）させ、また金属性転がり筒２０は砕いた氷４により筒内の液体５を冷やしながら、作動、回転を持続し、液体が凝結することを防止し、約8分間で泥状のアイスクリームを製造する。
本考案のアイスクリームを急速に製造する更に詳しい作用は、金属性転がり筒２０は温度を伝導し、且つ回転する状態を呈し、筒の中の水分（液体）を急速に砕いた氷４の温度で冷やすものである。更に細かく言うと、金属性転がり筒２０の壁の水分子は冷えた状態を呈し（砕いた氷４に接近、接触するので金属性転がり筒の壁の温度は冷やされる）、金属性転がり筒が回転することにより、均一に冷やされ、急速に液体を冷やす効果となる。
また、本考案は回転筒１００の中、外筒間へ断熱層１８を設け、該断熱層１８は発泡スチロールなどであって、砕いた氷４の冷えた温度を保持する効果を具え、
この他に本考案の回転筒１００の内筒１６の内壁に設けるかきまぜリブの替わりに配列する複数の突出粒１９を設け、同様に砕いた氷４、金属性転がり筒２０を転がして回転させる効果を具えることができる。
また別に、上述の回転筒の構造は図６に示すように下記の構造も具有する。
（１）回転筒は多角形の回転筒１０１（図１、２は円形の回転筒）。
（２）回転筒の外側底部に連動孔１０２を設け、台座の連動軸カバー２に対応する          連動軸１０３は台座の外へ突出、貫通しており、ハンドル１０４と組合せ          、ハンドル１０４は手動で回転することができ、モータを使用しなくても          手動で回転筒を回転させてアイスクリームを製造することができる。
上述により、本考案は急速にアイスクリームを製造でき、且つ冷媒及び圧縮機を  必要とせず、並びに簡易効果を具有し、特に金属性転がり筒２０の内側へ好きな味  の液体（例えば果汁、炭酸、牛乳）をいれて、一般の家庭、個人の必要に応じて使  用することができ、極めて実用性を具えるものである。
【図面の簡単な説明】
【０００７】
【図１】本考案の立体外観図である。
【図２】本考案の立体分解図である。
【図３】本考案を組合せて、正面からみた断面図である。
【図４】本考案を組合せ断面図及び側面図である。
【図５】本考案の内筒のかきまぜ動作をする構造の実施例の立体図である。
【図６】本考案における多角形の回転筒及び手動により回転筒を回す動作の実施例の立体分解図である。
【符号の説明】
【０００８】
１    台座
２    回転軸カバー
３    軸座
４    砕いた氷の塊
５    液体
１０    外筒
１００    回転筒
１０４    ハンドル
１１、１０３    連動軸
１２      筒蓋
１２０    フック
１３      支柱軸
１４      軸受
１５      蓋とめ具
１６      内筒
１７      かきまぜリブ
１８      断熱層
１９      突起粒
２０      金属性転がり筒
２１      プラスチック性蓋
１０１    多角形回転筒
１０２    連動孔
１０３  連動軸
【図１】
0003100974.tif 000003
【図２】
0003100974.tif 000004
【図３】
0003100974.tif 000005
【図４】
0003100974.tif 000006
【図５】
0003100974.tif 000007
【図６】
0003100974.tif 000008